(57)【要約】エレベータの操作盤において、筐体（５）内の下部には、裏板（１１）に固定されている裏板側固定片（２１）と、表板（１２）に固定され裏板側固定片上（２１）に重ねられている表板側固定片（２２）とが配置されている。表板側固定片（２２）には、ねじ装着部（２３）が設けられている。表板側固定片（２２）は、ねじ部材（１３）をねじ装着部（２３）に締め付けることにより裏板側固定片（２１）に固定されている。筐体（５）の下端部には、ねじ部材（１３）を回転させる工具を挿入するための工具挿入孔（１２ｅ）が設けられている。
2016147248.tif 000002
【特許請求の範囲】
【請求項１】
裏板と、前記裏板に組み合わされており、かつねじ部材により前記裏板に固定されている表板とを有している筐体を備え、  前記筐体内の下部には、前記裏板に固定されている裏板側固定片と、前記表板に固定され前記裏板側固定片上に重ねられている表板側固定片とが配置されており、  前記表板側固定片には、ねじ装着部が設けられており、  前記表板側固定片は、前記ねじ部材を前記ねじ装着部に締め付けることにより前記裏板側固定片に固定されており、  前記筐体の下端部には、前記ねじ部材を回転させる工具を挿入するための工具挿入孔が設けられており、  前記裏板の前記裏板側固定片の上方には、前記表板側へ突出した支持片が固定されており、  前記表板には、前記裏板側へ突出し、前記支持片上に重ねられた取付片が固定されており、  前記裏板側固定片、前記表板側固定片、前記支持片、及び前記取付片のうちの少なくとも１つである孔形成部材には、前記孔形成部材を上下に貫通する突起挿入孔が設けられており、  前記裏板側固定片、前記表板側固定片、前記支持片、及び前記取付片のうちの前記孔形成部材に重ねられている部材である突起付き部材には、前記突起挿入孔に挿入された突起が設けられているエレベータの操作盤。
【請求項２】
前記裏板側固定片には、前記表板側の端部から前記工具挿入孔の真上まで連続した切欠が設けられている請求項１記載のエレベータの操作盤。
【請求項３】
前記裏板側固定片及び前記表板側固定片のいずれか一方と、前記支持片及び前記取付片のいずれか一方とがそれぞれ孔形成部材であり、  前記裏板側固定片及び前記表板側固定片の他方と、前記支持片及び前記取付片の他方とがそれぞれ突起付き部材である請求項１又は請求項２に記載のエレベータの操作盤。
【請求項４】
前記支持片は、前記表板側へ向けて斜め上方へ突出しており、  前記取付片は、前記裏板側へ向けて斜め下方へ突出している請求項１又は請求項２に記載のエレベータの操作盤。
【発明の詳細な説明】
【技術分野】
【０００１】  この発明は、例えば、かご室内に設けられているかご操作盤、又は乗場に設けられている乗場操作盤などのエレベータの操作盤に関するものである。
【背景技術】
【０００２】  従来のエレベータのかご操作盤では、かご室の側板に埋め込まれて固定されたボックスにカバーが固定されている。カバーの下端部は、ねじによりボックスに固定されている。カバーの裏面の上部には、クランク状のフックが固定されている。フックは、ボックスに固定された受け金具に引っ掛けられる（例えば、特許文献１参照）。【０００３】  また、従来の機器の取付構造では、壁に固定される取付基板に、複数の舌片が固定されている。取付基板に被せられる機器ケース本体内には、矩形枠が上下方向へスライド可能に設けられている。矩形枠には、舌片に対応する複数の折曲片が設けられている。【０００４】  矩形枠には、雌ねじ孔が設けられている。機器ケース本体内には、雌ねじ孔に対向する立ち上がり板が固定されている。雄ねじは、立ち上がり板を貫通して雌ねじ孔に組み合わされている。機器ケース本体の下端部には、ドライバを差し込むための差込孔が設けられている。【０００５】  取付基板に機器ケース本体を取り付ける場合、機器ケース本体を取付基板に重ねた状態で、雄ねじを締め込む。これにより、機器ケース本体内で矩形枠が下方へ移動し、舌片に対する折曲片の重なり量が増大し、機器ケース本体が取付基板に固定される（例えば、特許文献２参照）。
【先行技術文献】
【特許文献】
【０００６】
【特許文献１】実開平３−６６９７６号公報
【特許文献２】実開平２−３５２８９号公報
【発明の概要】
【発明が解決しようとする課題】
【０００７】  特許文献１に示された従来のかご操作盤では、ねじがカバーの下面に露出しているため、いたずら等により、ねじが外されてカバーがボックスから外される恐れがある。  また、特許文献２に示された従来の取付構造では、片手で機器ケース本体を押さえながら雄ねじを締め込む必要があるため、重量が比較的大きく、かつ上下方向寸法が大きいエレベータの操作盤に適用しようとすると、表板の取付作業が困難になる。【０００８】  この発明は、上記のような課題を解決するためになされたものであり、簡単な構成により、外部からねじ部材が見えないようにしつつ、表板を裏板に容易に取り付けることができるエレベータの操作盤を得ることを目的とする。
【課題を解決するための手段】
【０００９】  この発明に係るエレベータの操作盤は、裏板と、裏板に組み合わされており、かつねじ部材により裏板に固定されている表板とを有している筐体を備え、筐体内の下部には、裏板に固定されている裏板側固定片と、表板に固定され裏板側固定片上に重ねられている表板側固定片とが配置されており、表板側固定片には、ねじ装着部が設けられており、表板側固定片は、ねじ部材をねじ装着部に締め付けることにより裏板側固定片に固定されており、筐体の下端部には、ねじ部材を回転させる工具を挿入するための工具挿入孔が設けられており、裏板の裏板側固定片の上方には、表板側へ突出した支持片が固定されており、表板には、裏板側へ突出し、支持片上に重ねられた取付片が固定されており、裏板側固定片、表板側固定片、支持片、及び取付片のうちの少なくとも１つである孔形成部材には、孔形成部材を上下に貫通する突起挿入孔が設けられており、裏板側固定片、表板側固定片、支持片、及び取付片のうちの孔形成部材に重ねられている部材である突起付き部材には、突起挿入孔に挿入された突起が設けられている。
【発明の効果】
【００１０】  この発明のエレベータの操作盤は、裏板側固定片上に表板側固定片が重ねられており、支持片上に取付片が重ねられており、孔形成部材に設けられた突起挿入孔に、突起付き部材に設けられた突起が挿入されており、ねじ部材をねじ装着部に締め付けることにより表板側固定片が裏板側固定片に固定されているので、簡単な構成により、外部からねじ部材が見えないようにしつつ、表板を裏板に容易に取り付けることができる。
【図面の簡単な説明】
【００１１】
【図１】この発明の実施の形態１によるエレベータのかご操作盤の設置状態を示す正面図である。
【図２】図１のかご操作盤を拡大して示す正面図である。
【図３】図２のかご操作盤を示す右側面図である。
【図４】図２のかご操作盤を示す底面図である。
【図５】図２の筐体のＶ−Ｖ線に沿う断面図である。
【図６】図５の筐体の組立前の状態を示す断面図である。
【図７】図６の表板を裏板に重ねた状態を示す断面図である。
【図８】図７の突起を突起挿入孔に挿入した状態を示す断面図である。
【図９】図８の雄ねじを雌ねじ部に締め付ける様子を示す断面図である。
【図１０】この発明の実施の形態２によるエレベータのかご操作盤の筐体の断面図である。
【図１１】この発明の実施の形態３によるエレベータのかご操作盤の筐体の断面図である。
【発明を実施するための形態】
【００１２】  以下、この発明を実施するための形態について、図面を参照して説明する。  実施の形態１．  図１はこの発明の実施の形態１によるエレベータのかご操作盤の設置状態を示す正面図である。図において、かご室の前面には、かご出入口１を開閉する一対のかごドア２ａ，２ｂが設けられている。かご出入口１の両側には、一対の袖壁３ａ，３ｂが設けられている。袖壁３ａには、かご操作盤４が固定されている。
【００１３】  図２は図１のかご操作盤４を拡大して示す正面図、図３は図２のかご操作盤４を示す右側面図、図４は図２のかご操作盤４を示す底面図である。かご操作盤４は、筐体５と、筐体５内に組み込まれた複数の操作盤機器とを有している。
【００１４】  操作盤機器には、インジケータ６、かご操作ボタン装置７、及び制御ボックス（図示せず）等が含まれている。インジケータ６としては、例えばＬＥＤインジケータが用いられている。かご操作ボタン装置７には、かご室内から操作される複数の行先階指定ボタンが設けられている。
【００１５】  筐体５は、幅寸法（図２の左右方向の寸法）よりも高さ寸法（図２の上下方向の寸法）の方が大きく、厚さ寸法（図３の左右方向の寸法）が幅寸法よりも小さい縦長薄型の外形を有している。
【００１６】  また、筐体５は、袖壁３ａに固定された裏板（ボックス）１１と、裏板１１に組み合わされている表板（フェースプレート）１２とを有している。表板１２は、筐体５内の下部で、ねじ部材としての２本の雄ねじ１３により裏板１１に固定されている。
【００１７】  裏板１１は、袖壁３ａの表面に接合されて固定されている背面部１１ａと、背面部１１ａの上端から表板１２側（袖壁３ａとは反対側）へ直角に突出した裏板上面部１１ｂと、背面部１１ａの下端から表板１２側へ直角に突出した裏板下面部１１ｃと、背面部１１ａの幅方向両端から表板１２側へ直角に突出した一対の裏板側面部１１ｄとを有している。
【００１８】  表板１２は、背面部１１ａに対向する正面部１２ａと、正面部１２ａの上端から裏板１１側（袖壁３ａ側）へ直角に突出した表板上面部１２ｂと、正面部１２ａの下端から裏板１１側へ直角に突出した表板下面部１２ｃと、正面部１２ａの幅方向両端から裏板１１側へ直角に突出した一対の表板側面部１２ｄとを有している。
【００１９】  表板上面部１２ｂは、裏板上面部１１ｂ上に重ねられている。表板側面部１２ｄは、裏板側面部１１ｄの外側に重ねられている。即ち、表板１２は、裏板上面部１１ｂ及び裏板側面部１１ｄの外側に被せられている。
【００２０】  表板下面部１２ｃの裏板１１側の端面は、裏板下面部１１ｃの表板１２側の端面に対向している。筐体５の下端部である表板下面部１２ｃには、雄ねじ１３を回転させる工具、例えばドライバ１４（図９）を挿入するための一対の工具挿入孔１２ｅが設けられている。この例では、工具挿入孔１２ｅは、表板下面部１２ｃの裏板下面部１１ｃに対向する端部から正面部１２ａ側へ向けて設けられた切欠である。
【００２１】  図５は図２の筐体５のＶ−Ｖ線に沿う断面図である。筐体５内の下部には、断面Ｌ字形の裏板側固定片２１と、断面Ｌ字形の表板側固定片２２とが配置されている。裏板側固定片２１は、背面部１１ａの正面部１２ａに対向する面に固定されている。表板側固定片２２は、正面部１２ａの背面部１１ａに対向する面に固定されている。
【００２２】  裏板側固定片２１は、背面部１１ａに固定された固定部分と、背面部１１ａから正面部１２ａ側へ直角に突出した突出部分とを有している。表板側固定片２２は、正面部１２ａに固定された固定部分と、正面部１２ａから背面部１１ａ側へ直角に突出した突出部分とを有している。表板側固定片２２の突出部分は、裏板側固定片２１の突出部分上に重ねられている。
【００２３】  表板側固定片２２の突出部分には、ねじ装着部としての２つ（図５では一方のみ示す）の雌ねじ部２３が設けられている。雌ねじ部２３は、工具挿入孔１２ｅの真上に配置されている。表板側固定片２２は、雄ねじ１３を雌ねじ部２３に締め付けることにより、裏板側固定片２１に固定されている。
【００２４】  裏板側固定片２１の突出部分には、表板１２側の端部（正面部１２ａに対向する端部）から工具挿入孔１２ｅの真上まで連続した一対の切欠２１ａが設けられている。これにより、雄ねじ１３を雌ねじ部２３に途中まで締め込んだ状態のまま、表板１２を裏板１１に組み合わせることができる。
【００２５】  背面部１１ａの裏板側固定片２１の上方には、断面Ｌ字形の複数の支持片２４が固定されている。正面部１２ａの表板側固定片２２の上方には、断面Ｌ字形の複数の取付片２５が固定されている。
【００２６】  支持片２４は、背面部１１ａに固定された固定部分と、背面部１１ａから正面部１２ａ側へ直角に突出した突出部分とを有している。取付片２５は、正面部１２ａに固定された固定部分と、正面部１２ａから背面部１１ａ側へ直角に突出した突出部分とを有している。取付片２５の突出部分は、対応する支持片２４の突出部分上に重ねられている。
【００２７】  裏板側固定片２１の突出部分及び支持片２４の突出部分には、これらの部材を上下方向に貫通する突起挿入孔２６が設けられている。表板側固定片２２の突出部分及び取付片２５の突出部分には、突起挿入孔２６に挿入された突起２７が固定されている。突起２７としては、ピン又はねじ等を用いることができる。突起２７は、下方へ向けて突出し、突起挿入孔２６に上下方向へ抜き差し可能に挿入されている。
【００２８】  実施の形態１では、裏板側固定片２１及び支持片２４が孔形成部材であり、表板側固定片２２及び取付片２５が突起付き部材である。
【００２９】  次に、筐体５の組立手順について説明する。図６は図５の筐体５の組立前の状態を示す断面図である。筐体５を組み立てる場合、まず袖壁３ａに裏板１１を固定しておく。そして、表板１２を両手で持って裏板１１側へ移動させる。このとき、突起２７が裏板側固定片２１及び支持片２４と干渉しないように、表板１２を裏板１１に対して上方へずらした状態で移動させる。また、雌ねじ部２３には、雄ねじ１３を途中まで締め込んでおく。
【００３０】  図７に示すように、表板１２を裏板１１に重ねた状態では、雄ねじ１３が切欠２１ａに通されており、雄ねじ１３の頭が裏板側固定片２１の下方に位置している。この状態から、図８に示すように、表板１２を下方へ移動させ、突起２７を対応する突起挿入孔２６に挿入する。この状態では、表板１２は裏板１１に支持されているとともに、表板１２の水平方向への移動が規制されている。また、表板１２は、上方への移動のみが許容されている。
【００３１】  この後、図９に示すように、ドライバ１４により雄ねじ１３を雌ねじ部２３に締め付ける。これにより、表板１２が裏板１１に完全に固定される。表板１２を裏板１１から取り外す手順は、上記の手順の逆である。
【００３２】  このようなエレベータのかご操作盤４では、裏板側固定片２１上に表板側固定片２２が重ねられており、支持片２４上に取付片２５が重ねられており、突起挿入孔２６に突起２７が挿入されているので、雄ねじ１３を雌ねじ部２３に締め付ける前でも表板１２を裏板１１に組み合わせた状態を保持することができる。このため、雄ねじ１３を雌ねじ部２３に締め付ける際に、表板１２を押さえておく必要がない。
【００３３】  また、筐体５内に位置する雌ねじ部２３に、工具挿入孔１２ｅを通して雄ねじ１３を締め付けることで、表板１２を裏板１１に固定するので、筐体５の外部から雄ねじ１３が見えないようにすることができる。
【００３４】  さらに、表板１２を裏板１１から取り外すための機構部をカバーで隠す構成に比べて、工具挿入孔１２ｅを設けるだけでよいため、構成を簡単にして、コストの低減を図ることができる。
【００３５】  即ち、実施の形態１のかご操作盤４によれば、簡単な構成により、外部から雄ねじ１３が見えないようにしつつ、１人の作業者により表板１２を裏板１１に容易に取り付けることができる。
【００３６】  また、裏板側固定片２１に雄ねじ１３を逃がす切欠２１ａが設けられているので、雄ねじ１３を雌ねじ部２３に途中まで締め込んだ状態で表板１２を裏板１１に組み合わせることができ、表板１２の裏板１１の取付作業をより容易にすることができる。
【００３７】  さらに、裏板側固定片２１及び全ての支持片２４に突起挿入孔２６を設け、表板側固定片２２及び全ての取付片２５に突起２７を設けたので、表板１２を裏板１１に取り付ける際に、より確実に表板１２を保持することができる。
【００３８】  実施の形態２．  次に、図１０はこの発明の実施の形態２によるエレベータのかご操作盤の筐体の断面図である。実施の形態２では、表板側固定片２２の突出部分及び取付片２５の突出部分に突起挿入孔２６が設けられている。そして、裏板側固定片２１の突出部分及び支持片２４の突出部分に、突起２７が固定されている。突起２７は、上方へ向けて突出し、突起挿入孔２６に上下方向へ抜き差し可能に挿入されている。
【００３９】  実施の形態２では、表板側固定片２２及び取付片２５が孔形成部材であり、裏板側固定片２１及び支持片２４が突起付き部材である。他の構成は、実施の形態１と同様である。
【００４０】  このような構成によっても、雄ねじ１３を雌ねじ部２３に締め付ける前に、表板１２を裏板１１に組み合わせた状態を保持することができ、実施の形態１と同様の効果が得られる。
【００４１】  実施の形態３．  次に、図１１はこの発明の実施の形態３によるエレベータのかご操作盤の筐体の断面図である。実施の形態３では、支持片２４が表板１２側へ向けて斜め上方へ突出しているとともに、取付片２５が裏板１１側へ向けて斜め下方へ突出している。即ち、支持片２４の突出部分と取付片２５の突出部分とは、背面部１１ａ側へ向けて徐々に下がるように傾斜している。
【００４２】  支持片２４及び取付片２５には、突起挿入孔２６も突起２７も設けられていない。そして、取付片２５は、支持片２４の上面に沿ってスライド可能になっている。実施の形態３では、裏板側固定片２１が孔形成部材であり、表板側固定片２２が突起付き部材である。他の構成は、実施の形態１と同様である。
【００４３】  このようなかご操作盤では、支持片２４と取付片２５との接合面が傾斜しているので、雄ねじ１３が緩んだとしても、表板１２の自重によりがたつきを防止することができる。また、雄ねじ１３を締め込むことにより、表板１２と裏板１１との密着力を増大させることができる。
【００４４】  なお、実施の形態３の支持片２４及び取付片２５を実施の形態２の筐体に適用してもよい。  また、上記の例では、突起２７を突起付き部材とは別部材で構成したが、突起付き部材の一部を折り曲げるなどして突起を形成してもよい。  さらに、上記の例では、ねじ部材として雄ねじ１３を示したが、ねじ部材はナット等の雌ねじ部材であってもよい。その場合、ねじ装着部を雄ねじとすればよい。このため、工具もドライバに限定されない。  さらにまた、工具挿入孔は裏板側に設けてもよい。  また、工具挿入孔は、切欠ではなく、単なる孔でもよい。  さらに、工具挿入孔に挿入された工具をねじ部材に導く筒状又は断面Ｕ字状のガイド部を筐体内に設けてもよい。  さらにまた、上記の例では、裏板側固定片２１に切欠２１ａを設けたが、裏板側固定片に雄ねじを通す孔を設けてもよい。この場合、ねじ部材がねじ装着部から完全に取り外された状態で表板を裏板に組み合わせ、その後、ねじ部材をねじ装着部に締め込むことになる。また、裏板側固定片の雄ねじを通す孔は、雄ねじの頭を通す大径部と、大径部よりも小径の小径部とからなるダルマ孔であってもよい。  また、支持片及び取付片は１組のみであっても、３組以上であってもよい。  さらに、この発明は、エレベータの乗場操作盤にも適用できる。
【図１】
2016147248.tif 000003
【図２】
2016147248.tif 000004
【図３】
2016147248.tif 000005
【図４】
2016147248.tif 000006
【図５】
2016147248.tif 000007
【図６】
2016147248.tif 000008
【図７】
2016147248.tif 000009
【図８】
2016147248.tif 000010
【図９】
2016147248.tif 000011
【図１０】
2016147248.tif 000012
【図１１】
2016147248.tif 000013
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
裏板と、前記裏板に組み合わされており、かつねじ部材により前記裏板に固定されている表板とを有している筐体を備え、
前記筐体内の下部には、前記裏板に固定されている裏板側固定片と、前記表板に固定され前記裏板側固定片上に重ねられている表板側固定片とが配置されており、
前記表板側固定片には、ねじ装着部が設けられており、
前記表板側固定片は、前記ねじ部材を前記ねじ装着部に締め付けることにより前記裏板側固定片に固定されており、
前記筐体の下端部には、前記ねじ部材を回転させる工具を挿入するための工具挿入孔が設けられており、
前記裏板の前記裏板側固定片の上方には、前記表板側へ突出した支持片が固定されており、
前記表板には、前記裏板側へ突出し、前記支持片上に重ねられた取付片が固定されており、
前記裏板側固定片、前記表板側固定片、前記支持片、及び前記取付片のうちの少なくとも１つである孔形成部材には、前記孔形成部材を上下に貫通する突起挿入孔が設けられており、
前記裏板側固定片、前記表板側固定片、前記支持片、及び前記取付片のうちの前記孔形成部材に重ねられている部材である突起付き部材には、前記突起挿入孔に挿入された突起が設けられており、
前記裏板側固定片には、前記表板側の端部から前記工具挿入孔の真上まで連続した切欠が設けられているエレベータの操作盤。
【請求項２】
前記裏板側固定片及び前記表板側固定片のいずれか一方と、前記支持片及び前記取付片のいずれか一方とがそれぞれ孔形成部材であり、
前記裏板側固定片及び前記表板側固定片の他方と、前記支持片及び前記取付片の他方とがそれぞれ突起付き部材である請求項１記載のエレベータの操作盤。
【請求項３】
前記支持片は、前記表板側へ向けて斜め上方へ突出しており、
前記取付片は、前記裏板側へ向けて斜め下方へ突出している請求項１記載のエレベータの操作盤。
【国際調査報告】
2016147248.tif 000014
2016147248.tif 000015
2016147248.tif 000016
2016147248.tif 000017